(57)【要約】【課題】赤外線カットフィルタを用いる場合の不具合を防止しつつ、適切に特定波長の光をカットすること。【解決手段】光軸方向に沿って配置される複数の光学レンズ群（第１〜第３の光学レンズ２１〜２３）からなる撮像レンズ２と、この撮像レンズ２を介して入射した光を受光する撮像素子３１とを具備し、撮像レンズ２における最も被写体側に配置される第１の光学レンズ２１の外側の一方の光学面に平面部２１１を設け、この平面部２１１に赤外線カット膜２１１ａを形成したことを特徴とする。【選択図】図１
2011253116.tif 000002
【特許請求の範囲】
【請求項１】
光軸方向に沿って配置される複数の光学レンズ群からなる撮像レンズと、前記撮像レンズを介して入射した光を受光する撮像素子とを具備し、前記撮像レンズにおける最も被写体側又は前記撮像素子側に配置される光学レンズの外側の一方の光学面に平面部を設け、当該平面部に赤外線カット膜を形成したことを特徴とするカメラモジュール。
【請求項２】
前記撮像レンズは、前記被写体側から前記撮像素子に向けて第１〜第３の光学レンズを有し、前記第１の光学レンズの前記被写体側の光学面に平面部を設ける一方、前記第１の光学レンズの前記撮像素子側の光学面、前記第２の光学レンズの光学面の両面及び前記第３の光学レンズの前記被写体側の光学面に曲面部を設けることを特徴とする請求項１記載のカメラモジュール。
【請求項３】
前記撮像レンズは、前記被写体側から前記撮像素子に向けて第１〜第３の光学レンズを有し、前記第３の光学レンズの前記撮像素子側の光学面に平面部を設ける一方、前記第３の光学レンズの前記被写体側の光学面、前記第２の光学レンズの光学面の両面及び前記第１の光学レンズの前記撮像素子側の光学面に曲面部を設けることを特徴とする請求項１記載のカメラモジュール。
【発明の詳細な説明】
【技術分野】
【０００１】
本発明は、カメラモジュールに関し、特に、携帯電話装置等に搭載されるデジタルカメラ機能に好適に用いられるカメラモジュールに関する。
【背景技術】
【０００２】
近年、携帯電話装置においては、デジタルカメラ機能を備える機種が普及している。このような携帯電話装置においては、携帯性の便宜から小型化、軽量化が要請されている。このような要請に伴って携帯電話装置に搭載されるカメラモジュールにおいても、小型化、軽量化が要請されている。一方、このようなカメラモジュールの機能も高機能化してきている。例えば、１０００万画素以上の撮像機能を有するカメラモジュールを搭載する携帯電話装置も普及し始めている。
【０００３】
携帯電話装置に搭載されるカメラモジュールにおいては、ＣＣＤやＣＭＯＳなどの撮像素子が用いられている。これらの撮像素子は、可視領域のみならず、赤外領域にも強い感度を有しており、受光特性を視感度に近づけるために、λ＝８００〜１２００ｎｍの波長の光をカットする必要がある。従来は、撮像レンズと撮像素子との間に赤外線カットフィルタを配置し（例えば、特許文献１参照）、或いは、撮像レンズの光学面に対して赤外線カット膜を形成するなどして（例えば、特許文献２参照）、これらの波長の光をカットしている。
【先行技術文献】
【特許文献】
【０００４】
【特許文献１】特開２００６−３０９０１１号公報
【特許文献２】特開２００７−２０６１７２号公報
【発明の概要】
【発明が解決しようとする課題】
【０００５】
しかしながら、特許文献１記載のカメラモジュールにおいて、フィルムタイプの赤外線カットフィルタを用いる場合においては、フィルタ自体が軽量であることに起因してカメラモジュールに組み込む際に所望の位置に配置できない事態や、入射光の複屈折に起因して撮像素子におけるピクセルサイズが小型化された場合に撮像性能が低下する事態が発生し得る。一方、ガラスタイプの赤外線カットフィルタを用いる場合においては、カメラモジュールに組み込む際に発生する外圧等に応じて破損する事態や、ガラス基材から切断加工時に赤外線カットフィルタに付着した異物等が撮像素子の収納空間に混入する事態が発生し得る。
【０００６】
撮像レンズの光学面に対して赤外線カット膜を形成する場合には、赤外線カットフィルタを用いる場合のような不具合を抑制することができる。しかしながら、特許文献２に記載のように、撮像レンズの曲面に赤外線カット膜を形成する場合には、均一に赤外線カット膜を形成することが困難であり、適切に特定波長の光をカットすることができないという問題がある。
【０００７】
本発明は、このような実情に鑑みてなされたものであり、赤外線カットフィルタを用いる場合の不具合を防止しつつ、適切に特定波長の光をカットすることができるカメラモジュールを提供することを目的とする。
【課題を解決するための手段】
【０００８】
本発明のカメラモジュールは、光軸方向に沿って配置される複数の光学レンズ群からなる撮像レンズと、前記撮像レンズを介して入射した光を受光する撮像素子とを具備し、前記撮像レンズにおける最も被写体側又は前記撮像素子側に配置される光学レンズの外側の一方の光学面に平面部を設け、当該平面部に赤外線カット膜を形成したことを特徴とする。
【０００９】
上記カメラモジュールによれば、最も被写体側又は撮像素子側に配置される光学レンズの外側の一方の光学面に平面部を設け、当該平面部に赤外線カット膜を形成したことから、光学レンズの光学面に均一に赤外線カット膜を形成することができるので、適切に特定波長の光をカットすることができる。また、光学レンズの光学面に赤外線カット膜を形成することから、赤外線カットフィルタを別途配設する必要がなくなるので、赤外線カットフィルタを用いる場合の不具合が発生することもない。この結果、赤外線カットフィルタを用いる場合の不具合を防止しつつ、適切に特定波長の光をカットすることが可能となる。
【００１０】
上記カメラモジュールにおいて、前記撮像レンズは、前記被写体側から前記撮像素子に向けて第１〜第３の光学レンズを有し、前記第１の光学レンズの前記被写体側の光学面に平面部を設ける一方、前記第１の光学レンズの前記撮像素子側の光学面、前記第２の光学レンズの光学面の両面及び前記第３の光学レンズの前記被写体側の光学面に曲面部を設けることが好ましい。この場合には、最も被写体側に配置される第１の光学レンズの被写体側の光学面で特定波長の光をカットすることができるので、当該特定波長の光の撮像レンズにおける内面反射に起因する迷光現象を軽減でき、撮像素子を介して得られる撮像画像の劣化を抑制することが可能となる。
【００１１】
また、上記カメラモジュールにおいて、前記撮像レンズは、前記被写体側から前記撮像素子に向けて第１〜第３の光学レンズを有し、前記第３の光学レンズの前記撮像素子側の光学面に平面部を設ける一方、前記第３の光学レンズの前記被写体側の光学面、前記第２の光学レンズの光学面の両面及び前記第１の光学レンズの前記撮像素子側の光学面に曲面部を設けることが好ましい。この場合には、最も撮像素子側に配置される第３の光学レンズの撮像素子側の光学面で特定波長の光をカットすることができるので、第１〜第３の光学レンズを介して収束した特定波長の光をカット対象とすることができ、効率的に特定波長の光をカットすることが可能となる。
【発明の効果】
【００１２】
本発明によれば、最も被写体側又は撮像素子側に配置される光学レンズの外側の一方の光学面に平面部を設け、当該平面部に赤外線カット膜を形成したことから、光学レンズの光学面に均一に赤外線カット膜を形成することができるので、適切に特定波長の光をカットすることができる。また、光学レンズの光学面に赤外線カット膜を形成することから、赤外線カットフィルタを別途配設する必要がなくなるので、赤外線カットフィルタを用いる場合の不具合が発生することもない。この結果、赤外線カットフィルタを用いる場合の不具合を防止しつつ、適切に特定波長の光をカットすることが可能となる。
【図面の簡単な説明】
【００１３】
【図１】本発明の実施の形態１に係るカメラモジュールの分解斜視図である。
【図２】実施の形態１に係るカメラモジュールが有する撮像レンズの側断面図である。
【図３】実施の形態１に係るカメラモジュールの側断面図である。
【図４】本発明の実施の形態２に係るカメラモジュールの側断面図である。
【発明を実施するための形態】
【００１４】
以下、本発明の実施の形態について添付図面を参照して詳細に説明する。本実施の形態に係るカメラモジュールは、例えば、携帯電話装置やパーソナルコンピュータなどにおけるデジタルカメラ機能に用いられるものである。なお、本実施の形態に係るカメラモジュールが搭載される装置については、これらに限定されるものではなく適宜変更が可能である。
【００１５】
（実施の形態１）
図１は、本発明の実施の形態１に係るカメラモジュール１の分解斜視図である。以下においては、説明の便宜上、カメラモジュール１が有する回路基板４側をカメラモジュール１の後方側と呼び、カメラモジュール１が有するケース６側をカメラモジュール１側の前方側と呼ぶものとする。
【００１６】
図１に示すように、本実施の形態に係るカメラモジュール１は、複数（本実施の形態では３枚）の光学レンズ群（第１〜第３の光学レンズ２１〜２３）からなる撮像レンズ２と、この撮像レンズ２を介して入射した光を受光する撮像素子３１を有するイメージセンサ３と、このイメージセンサ３が実装される回路基板４と、撮像レンズ２とイメージセンサ３との間に配置されるスペーサ５と、撮像レンズ２及びスペーサ５を収容し、回路基板３１に固定されるケース６とを含んで構成されている。
【００１７】
撮像レンズ２は、第１の光学レンズ（以下、「第１レンズ」という）２１と、第２の光学レンズ（以下、「第２レンズ」という）２２と、第３の光学レンズ（以下、「第３レンズ」という）２３とを有している。これらの第１レンズ２１、第２レンズ２２及び第３レンズ２３は、光軸方向に沿って配置されている。第１レンズ２１が最も被写体側に配置される一方、第３レンズ２３が最も撮像素子３１側に配置されており、これらの間に第２レンズ２２が配置されている。なお、第１レンズ２１〜第３レンズ２３の形状については後述する。
【００１８】
第１レンズ２１と第２レンズ２２との間、並びに、第２レンズ２２と第３レンズ２３との間には、それぞれ絞り部材７１、７２が配設されている。絞り部材７１は、円環形状を有する板状部材で構成されており、開口部７１ａの中心が第１レンズ２１、第２レンズ２２の中心に対応するように配置される。同様に、絞り部材７２は、円環形状を有する板状部材で構成されており、開口部７２ａの中心が第２レンズ２２、第３レンズ２３の中心に対応するように配置される。これらの絞り部材７１、７２は、後述するケース６の入射口６２ａから不所望の入射角度で入射される光を除去するものである。
【００１９】
イメージセンサ３は、矩形状の板状部材で構成され、一辺を除く部分の外縁部においてボンディングワイヤ３２で回路基板４に実装されている。イメージセンサ３には、その前面の中央部に長方形状の撮像素子３１が設けられている。撮像素子３１は、例えば、ＣＣＤ(Charge  Coupled  Device)やＣＭＯＳ（Complementary  Metal  Oxide  Semiconductor）で構成され、カメラモジュール１が組み立てられた状態でスペーサ５を介して第３レンズ２３と対向する位置に配置されている。
【００２０】
回路基板４は、矩形状の板状部材で構成され、本実施の形態に係るカメラモジュール１の底面部を構成するものである。イメージセンサ３は、回路基板４の前面の中央部に実装される。ケース６は、このイメージセンサ３の配置されていない外縁部近傍で回路基板４の前面に取り付けられる。そして、回路基板４は、このようにケース６が取り付けられた状態で携帯電話装置などの機器に実装される。
【００２１】
スペーサ５は、例えば、絶縁性の樹脂材料で成形され、概して矩形状の板状部材で構成されている。スペーサ５の中央には、円形状の開口部５１が設けられている。この開口部５１は、イメージセンサ３の撮像素子３１を撮像レンズ２側に露出可能な寸法に設けられている。スペーサ５は、開口部５１の中心が撮像素子３１の中心に対応するように配置され、撮像レンズ２（より具体的には、第３レンズ２３）と撮像素子３１との間に一定の距離を確保する役割を果たす。
【００２２】
ケース６は、例えば、絶縁性の樹脂材料で成形され、後方側に開口した箱状の基部６１と、この基部６１の前面に設けられた円筒形状部６２とを有している。円筒形状部６２の中央部には、入射口６２ａが形成されている。基部６１及び円筒形状部６２の内側には、撮像レンズ２、イメージセンサ３及びスペーサ５を収容可能な収容部６３が設けられている（図３参照）。この収容部６３のうちは、撮像レンズ２に対応する部分は、撮像レンズ２（第１レンズ２１〜第３レンズ２３）の周面と略同一寸法（より厳密には僅かに大径）に設けられ、これらの周面を密着させた状態で撮像レンズ２を収容可能に構成されている。
【００２３】
ここで、本実施の形態に係るカメラモジュール１が有する撮像レンズ２の構成について説明する。図２は、実施の形態１に係るカメラモジュール１が有する撮像レンズ２の側断面図である。なお、図２においては、カメラモジュール１に組み込まれた状態の撮像レンズ２について示している。また、図２においては、説明の便宜上、絞り部材７１、７２も示している。
【００２４】
図２に示すように、第１レンズ２１は、前面に配置された光学面に平面部２１１が設けられる一方、後面に配置された光学面の中央部に曲面部２１２が設けられている。後面に配置された曲面部２１２は、ケース６に設けられる入射口６２ａに対応する位置に設けられ、被写体側（図２に示す左方側）に窪む凹形状を有している。また、第１レンズ２１における図２に示す下端部には、第２レンズ２２側に突出する突出部２１３が設けられている。この突出部２１３は、第１レンズ２１に対する第２レンズ２２の位置決めを行う役割を果たすものである。
【００２５】
第２レンズ２２は、両面（前面及び後面）に配置された光学面の中央部にそれぞれ曲面部２２１、２２２が設けられている。これらの曲面部２２１、２２２は、第１レンズ２１の曲面部２１２に対応する位置に設けられている。前面に配置された曲面部２２１は、被写体側に突出する凸形状を有しており、後面に配置された曲面部２２２は、被写体側（図２に示す左方側）に窪む凹形状を有している。また、第２レンズ２２における図２に示す下端部には、第３レンズ２３側に突出する突出部２２３が設けられている。この突出部２２３は、第２レンズ２２に対する第３レンズ２３の位置決めを行う役割を果たすものである。また、この突出部２２３の前方側には、第１レンズ２１の突出部２１３の形状に応じた凹部２２４が設けられている。第２レンズ２２は、第１レンズ２１の突出部２１３をこの凹部２２４で受けることで、その位置決めが行われる。
【００２６】
第３レンズ２３は、前面に配置された光学面の中央部に曲面部２３１が設けられる一方、後面に配置された光学面に平面部２３２が設けられている。前面に配置された曲面部２３１は、撮像素子３１側（図２に示す右方側）に窪む凹形状を有している。また、この曲面部２３１は、第２レンズ２２の曲面部２２２に対応する位置に設けられている。第３レンズ２３には、第２レンズ２２の突出部２２３に対応する位置に、当該突出部２２３の形状に応じた凹部２３３が設けられている。第３レンズ２３は、第２レンズ２２の突出部２２３をこの凹部２３３で受けることで、その位置決めが行われる。
【００２７】
第１レンズ２１と第２レンズ２２との間、並びに、第２レンズ２２と第３レンズ２３との間には、それぞれ絞り部材７１、７２が配設されている。第２レンズ２２の曲面部２２１は、絞り部材７１の開口部７１ａを介して第１レンズ２１の曲面部２１２と対向配置されている。また、第３レンズ２３の曲面部２３１は、絞り部材７２の開口部７２ａを介して第２レンズ２２の曲面部２２２と対向配置されている。
【００２８】
このような構成を有する撮像レンズ２において、第１レンズ２１の平面部２１１には、λ＝８００〜１２００ｎｍの波長の光をカットする赤外線カット膜２１１ａが形成されている。これにより、第１レンズ２１の内側には、これらの特定波長の光が除去された光が撮像素子３１側に進行することとなる。
【００２９】
次に、上記構成を有するカメラモジュール１を組み立てた場合の内部構造について説明する。図３は、実施の形態１に係るカメラモジュール１の側断面図である。本実施の形態に係るカメラモジュール１を組み立てると、図３に示すように、収容部６３に撮像レンズ２を収容したケース６が、イメージセンサ３を実装した回路基板４の前面に取り付けられる。この場合において、ケース６は、撮像レンズ２の第３レンズ２３がスペーサ５を介してイメージセンサ３の撮像素子３２に対向配置されるように回路基板４に取り付けられている。
【００３０】
ケース６の収容部６３に収容される際、第１レンズ２１は、前面に設けられた平面部２１１を収容部６３の平坦な内壁面６３ａに当接させた状態で配置される。また、第２レンズ２２は、第１レンズ２１との間に絞り部材７１を介在させ、第１レンズ２１の突出部２１３を凹部２２４で収容した状態で配置される。さらに、第３レンズ２３は、第２レンズ２２との間に絞り部材７２を介在させ、第２レンズ２２の突出部２２３を凹部２３３で収容した状態で配置される。
【００３１】
撮像レンズ２を収容したケース６が回路基板４に取り付けられると、撮像レンズ２は、第３レンズ２３の平面部２３２をスペーサ５の一部で押さえられた状態となる。すなわち、撮像レンズ２は、第１レンズ２１の平面部２１１をケース６の内壁面６３ａに当接させる一方、第３レンズ２３の平面部２３２をスペーサ５の一部で押さえられた状態で収容部６４に配置される。このため、例えば、第１レンズ２１の前面が曲面である場合、第３レンズの後面が曲面である場合と比べてケース６内の収容部６３内に容易に封止することができる。
【００３２】
また、第１レンズ２１の平面部２１１をケース６の内壁面６３ａに当接させた状態で撮像レンズ２をケース６の収容部６３内に配置していることから、第１レンズ２１の前面が曲面である場合と比べて埃や塵が混入する事態の発生を低減できるので、これらの埃や塵の混入に起因して撮像素子３１が適切に光を受光することができない事態を効果的に抑制することができる。
【００３３】
このように組み立てられた状態において、カメラモジュール１の撮像操作が行われると、ケース６の入射口６２ａを介して入射した光が撮像レンズ２に到達する。入射内６２ａからの入射光は、第１レンズ２１の平面部２１１の赤外線カット膜２１１ａで特定波長の光がカットされた後、第１レンズ２１の曲面部２１２、第２レンズ２２の曲面部２２１、２２２及び第３レンズ２３の曲面部２３１、平面部２３２を透過して撮像素子３１に導かれる。
【００３４】
このように本実施の形態に係るカメラモジュール１においては、第１レンズ２１の前面に配置された光学面（被写体側の光学面）に平面部２１１を設け、この平面部２１１に赤外線カット膜２１１ａを形成したことから、第１レンズの光学面に均一に赤外線カット膜２１１ａを形成することができるので、適切に特定波長の光をカットすることができるものとなっている。また、第１レンズ２１の光学面に赤外線カット膜２１１ａを形成することから、赤外線カットフィルタを別途配設する必要がなくなるので、赤外線カットフィルタを用いる場合の不具合が発生することもない。この結果、赤外線カットフィルタを用いる場合の不具合を防止しつつ、適切に特定波長の光をカットすることが可能となる。
【００３５】
赤外線カットフィルタを用いる場合の不具合とは、例えば、フィルムタイプの赤外線カットフィルタを用いる場合に発生し得る、フィルタ自体が軽量であることに起因してカメラモジュールに組み込む際に所望の位置に配置できない不具合や、入射光の複屈折に起因して撮像素子３１におけるピクセルサイズが小型化された場合に撮像性能が低下する不具合が該当する。また、ガラスタイプの赤外線カットフィルタを用いる場合に発生し得る、カメラモジュール１に組み込む際に発生する外圧等に応じて破損する不具合や、ガラス基材から切断加工時に赤外線カットフィルタに付着した異物等が撮像素子３１の収納空間に混入する不具合が該当する。本実施の形態に係るカメラモジュール１によれば、このような不具合を確実に防止することが可能となる。
【００３６】
特に、本実施の形態に係るカメラモジュール１においては、最も被写体側に配置される第１レンズ２１の前面に配置された光学面に平面部２１１を設け、第１レンズ２１の後面に配置された光学面、第２レンズ２１の両面の光学面及び第３レンズ２３の前面の光学面に曲面部を設けていることから、最も被写体側に配置される第１レンズ２１の被写体側の光学面で特定波長の光をカットすることができるので、当該特定波長の光の撮像レンズにおける内面反射に起因する迷光現象を軽減でき、撮像素子３１を介して得られる撮像画像の劣化を抑制することが可能となる。また、第１レンズ２１に平面部２１１に赤外線カット膜２１１ａを形成したことから、経年劣化に伴う赤外線カット膜２１１ａの剥離物が撮像素子３１に与える悪影響を防止することが可能となる。
【００３７】
また、本実施の形態に係るカメラモジュール１においては、第１レンズ２１に設けた平面部２１１に赤外線カット膜２１１ａを形成したことから、撮像レンズ２に不所望の光学特性が付与される事態を回避できるので、そのような光学特性に起因する収差を補正しなければならないという事態の発生を防止することが可能となる。仮に、撮像レンズ２に含まれる曲面部に赤外線カット膜を形成する場合には、当該赤外線カット膜２１１ａの形成に伴って不所望の光学特性が付与され得る。このような光学特性は、撮像素子３１における適切な受光を阻害する要因となり得るため、これに起因する収差を補正する必要がある。しかしながら、本実施の形態に係るカメラモジュール１においては、第１レンズ２１に設けた平面部２１１に赤外線カット膜２１１ａを形成したことから、撮像レンズ２２に不所望の光学特性が付与される事態を回避でき、その光学特性に起因する収差を補正する工程を省略でき、カメラモジュール１を組み込む際の作業効率を向上することが可能となる。
【００３８】
（実施の形態２）
実施の形態１に係るカメラモジュール１においては、撮像レンズ２を構成する光学レンズのうち、最も被写体側に配置される第１レンズ２１の前面に設けられる平面部２１１に赤外線カット膜２１１ａを形成する場合について説明している。実施の形態２に係るカメラモジュール１においては、撮像レンズ２を構成する光学レンズのうち、最も撮像素子３１側に配置される第３レンズ２３の後面に設けられる平面部２３２に赤外線カット膜を形成する点で実施の形態１に係るカメラモジュール１と相違する。
【００３９】
図４は、本発明の実施の形態２に係るカメラモジュール１の側断面図である。なお、図４において、図３と共通する構成については、同一の符号を付与し、その説明を省略する。図４に示すカメラモジュール１の側断面図においては、第１レンズ２１の平面部２１１に赤外線カット膜２１１ａが形成されず、第３レンズ２３の平面部２３２に赤外線カット膜２３２ａが形成されている点のみで図３に示すカメラモジュール１の側断面図と相違する。
【００４０】
このように第３レンズ２３の平面部２３２に赤外線カット膜２３２ａを形成する実施の形態２に係るカメラモジュール１においては、第３レンズ２３の後面に配置された光学面（撮像素子３１側の光学面）に平面部２３２を設け、この平面部２３２に赤外線カット膜２３２ａを形成したことから、第３レンズ２１の光学面に均一に赤外線カット膜２３２ａを形成することができるので、適切に特定波長の光をカットすることができるものとなっている。また、第３レンズ２３の光学面に赤外線カット膜２３２ａを形成することから、赤外線カットフィルタを別途配設する必要がなくなるので、赤外線カットフィルタを用いる場合の不具合が発生することもない。この結果、赤外線カットフィルタを用いる場合の不具合を防止しつつ、適切に特定波長の光をカットすることが可能となる。
【００４１】
特に、本実施の形態に係るカメラモジュール１においては、最も撮像素子３１側に配置される第３レンズ２３の後面に配置された光学面に平面部２３２を設け、第３レンズ２３の前面に配置された光学面、第２レンズ２２の両面の光学面及び第１レンズ２１の後面の光学面に曲面部を設けていることから、最も撮像素子３１側に配置される第３レンズ２３の撮像素子３１側の光学面で特定波長の光をカットすることができるので、第１〜第３レンズ２１〜２３を介して収束した特定波長の光をカット対象とすることができ、効率的に特定波長の光をカットすることが可能となる。また、第３レンズ２３の後面に配置された光学面に平面部２３２を設けていることから、平面部２３２をスペーサ５等の部材の受け面に利用することができ、撮像レンズ２と撮像素子３１との位置精度を確保し易くなる。
【００４２】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４３】
例えば、上記実施の形態においては、第１レンズ２１、第２レンズ２２及び第３レンズ２３の３枚の光学レンズから成る撮像レンズ２を備え、最も被写体側又は撮像素子３１側に配置される光学レンズの外側の一方の光学面に平面部を設け、当該平面部に赤外線カット膜を形成する場合について説明しているが、撮像レンズ２の構成については、これに限定されるものではなく適宜変更が可能である。例えば、撮像レンズ２を２枚の光学レンズで構成し、被写体側又は撮像素子３１側に配置される光学レンズの外側の一方の光学面に平面部を設け、当該平面部に赤外線カット膜を形成するようしても良い。また、撮像レンズ２を４枚以上の光学レンズで構成し、最も被写体側又は撮像素子３１側に配置される光学レンズの外側の一方の光学面に平面部を設け、当該平面部に赤外線カット膜を形成するようしても良い。このように撮像レンズ２の構成を変更した場合においても、上記実施の形態と同様に、赤外線カットフィルタを用いる場合の不具合を防止しつつ、適切に特定波長の光をカットすることが可能となる。
【符号の説明】
【００４４】
１  カメラモジュール
２  撮像レンズ
２１  第１の光学レンズ（第１レンズ）
２１１  平面部
２１１ａ  赤外線カット膜
２１２  曲面部
２１３  突出部
２２  第２の光学レンズ（第２レンズ）
２２１、２２２  曲面部
２２３  突出部
２２４  凹部
２３  第３の光学レンズ（第３レンズ）
２３１  曲面部
２３２  平面部
２３２ａ  赤外線カット膜
３  イメージセンサ
３１  撮像素子
３２  ボンディングワイヤ
４  回路基板
５  スペーサ
５１  開口部
６  ケース
６１  基部
６２  円筒形状部
６２ａ  入射口
７１、７２  絞り部材
【図１】
2011253116.tif 000003
【図２】
2011253116.tif 000004
【図３】
2011253116.tif 000005
【図４】
2011253116.tif 000006